【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
レイアウト要素をパス上の配置ポイントに配置するレイアウト要素の配置装置であって、
前記レイアウト要素の方向及び前記配置ポイントの方向間での角度ずれを算出する算出部と、
前記算出された角度ずれに応じて、前記配置ポイントの方向に沿った視点の移動の難易性に関与する前記レイアウト要素の特性に変更を施す変更部と、
前記特性を変更された前記レイアウト要素を前記配置ポイントに配置する配置部とを含むことを特徴とするレイアウト要素の配置装置。
【請求項２】
前記レイアウト要素の方向を検出する検出部をさらに含むことを特徴とする請求項１記載のレイアウト要素の配置装置。
【請求項３】
前記角度ずれ及び前記変更を相互に対応付けて記憶する変更記憶部を更に含み、
前記変更部は、前記変更記憶部から前記角度ずれに対応する変更を読み出し、当該読み出された変更を前記レイアウト要素の特性に施すことを特徴とする請求項１記載のレイアウト要素の配置装置。
【請求項４】
前記変更部は、前記角度ずれが大きいほど、前記レイアウト要素の特性により大きな変更を施すことを特徴とする請求項１記載のレイアウト要素の配置装置。
【請求項５】
前記変更部は、前記角度ずれに応じて、前記レイアウト要素の特性として、前記レイアウト要素の大きさ、方向、注目度、形状、及び色彩のうちの１つを変更することを特徴とする請求項４記載のレイアウト要素の配置装置。
【請求項６】
前記変更部は、前記角度ずれが大きいほど、前記レイアウト要素の大きさをより小さくすることを特徴とする請求項５記載のレイアウト要素の配置装置。
【請求項７】
前記変更部は、前記レイアウト要素の輪郭に、前記角度ずれに応じて、前記配置ポイントの方向に沿った方向を有するフレームを付与することを特徴とする請求項５記載のレイアウト要素の配置装置。
【請求項８】
前記変更部は、前記角度ずれが大きいほど、前記レイアウト要素の姿勢をより大きく変更することを特徴とする請求項５記載のレイアウト要素の配置装置。
【請求項９】
前記変更部は、前記角度ずれに応じて、前記レイアウト要素中の対象物に、前記配置ポイントの方向に沿った方向を付与することを特徴とする請求項５記載のレイアウト要素の配置装置。
【請求項１０】
前記変更部は、前記角度ずれが大きいほど、前記レイアウト要素の輪郭に、注目度がより低いフレームを付与することを特徴とする請求項５記載のレイアウト要素の配置装置。
【請求項１１】
前記変更部は、前記角度ずれが大きいほど、前記レイアウト要素の輪郭を規定する多角形の角をより丸くすることを特徴とする請求項５記載のレイアウト要素の配置装置。
【請求項１２】
前記変更部は、前記角度ずれに応じて、前記レイアウト要素の輪郭を、前記配置ポイントの方向に向けて変形することを特徴とする請求項５記載のレイアウト要素の配置装置。
【請求項１３】
前記変更部は、前記角度ずれが大きいほど、前記レイアウト要素の色彩をよりぼかすことを特徴とする請求項５記載のレイアウト要素の配置装置。
【請求項１４】
レイアウト要素をパス上の配置ポイントに配置するレイアウト要素の配置方法であって、
前記レイアウト要素の方向及び前記配置ポイントの方向間での角度ずれを算出する算出工程と、
前記算出された角度ずれに応じて、前記配置ポイントの方向に沿った視点の移動の難易性に関与する前記レイアウト要素の特性に変更を施す変更工程と、
前記特性を変更された前記レイアウト要素を前記配置ポイントに配置する配置工程とを含むことを特徴とするレイアウト要素の配置方法。
【請求項１５】
前記レイアウト要素の方向を検出する検出工程をさらに含むことを特徴とする請求項１４記載のレイアウト要素の配置方法。
【請求項１６】
前記変更工程は、前記角度ずれ及び前記変更間の対応付けから前記角度ずれに対応する変更を読み出し、当該読み出された変更を前記レイアウト要素の特性に施すことを特徴とする請求項１４記載のレイアウト要素の配置方法。
【請求項１７】
前記変更工程は、前記角度ずれが大きいほど、前記レイアウト要素の特性により大きな変更を施すことを特徴とする請求項１４記載のレイアウト要素の配置方法。
【請求項１８】
前記変更工程は、前記角度ずれに応じて、前記レイアウト要素の特性として、前記レイアウト要素の大きさ、方向、注目度、形状、及び色彩のうちの１つを変更することを特徴とする請求項１７記載のレイアウト要素の配置方法。
【請求項１９】
前記変更工程は、前記角度ずれが大きいほど、前記レイアウト要素の大きさをより小さくすることを特徴とする請求項１８記載のレイアウト要素の配置方法。
【請求項２０】
前記変更工程は、前記レイアウト要素の輪郭に、前記角度ずれに応じて、前記配置ポイントの方向に沿った方向を有するフレームを付与することを特徴とする請求項１８記載のレイアウト要素の配置方法。
【請求項２１】
前記変更工程は、前記角度ずれが大きいほど、前記レイアウト要素の姿勢をより大きく変更することを特徴とする請求項１８記載のレイアウト要素の配置方法。
【請求項２２】
前記変更工程は、前記角度ずれに応じて、前記レイアウト要素中の対象物に、前記配置ポイントの方向に沿った方向を付与することを特徴とする請求項１８記載のレイアウト要素の配置方法。
【請求項２３】
前記変更工程は、前記角度ずれが大きいほど、前記レイアウト要素の輪郭に、注目度がより低いフレームを付与することを特徴とする請求項１８記載のレイアウト要素の配置方法。
【請求項２４】
前記変更工程は、前記角度ずれが大きいほど、前記レイアウト要素の輪郭を規定する多角形の角をより丸くすることを特徴とする請求項１８記載のレイアウト要素の配置方法。
【請求項２５】
前記変更工程は、前記角度ずれに応じて、前記レイアウト要素の輪郭を、前記配置ポイントの方向に向けて変形することを特徴とする請求項１８記載のレイアウト要素の配置方法。
【請求項２６】
前記変更工程は、前記角度ずれが大きいほど、前記レイアウト要素の色彩をよりぼかすことを特徴とする請求項１８記載のレイアウト要素の配置方法。
【請求項２７】
レイアウト要素をパス上の配置ポイントに配置するレイアウト要素の配置装置を構成するコンピュータに含まれる算出部と、変更部と、配置部とに前記レイアウト要素を配置させるレイアウト要素の配置プログラムであって、
前記算出部に、前記レイアウト要素の方向及び前記配置ポイントの方向間での角度ずれを算出させる算出工程と、
前記変更部に、前記算出された角度ずれに応じて、前記配置ポイントの方向に沿った視点の移動の難易性に関与する前記レイアウト要素の特性に変更を施させる変更工程と、
前記配置部に、前記特性を変更された前記レイアウト要素を前記配置ポイントに配置させる配置工程とを含むことを特徴とするレイアウト要素の配置プログラム。
【請求項２８】
前記コンピュータは、検出部を更に含み、
前記検出部に、前記レイアウト要素の方向を検出させる検出工程をさらに含むことを特徴とする請求項２７記載のレイアウト要素の配置プログラム。
【請求項２９】
前記変更工程は、前記変更部に、前記角度ずれ及び前記変更間の対応付けから前記角度ずれに対応する変更を読み出させ、当該読み出された変更を前記レイアウト要素の特性に施させることを特徴とする請求項２７記載のレイアウト要素の配置プログラム。
【請求項３０】
前記変更工程は、前記変更部に、前記角度ずれが大きいほど、前記レイアウト要素の特性により大きな変更を施させることを特徴とする請求項２７記載のレイアウト要素の配置プログラム。
【請求項３１】
前記変更工程は、前記変更部に、前記角度ずれに応じて、前記レイアウト要素の特性として、前記レイアウト要素の大きさ、方向、注目度、形状、及び色彩のうちの１つを変更させることを特徴とする請求項３０記載のレイアウト要素の配置プログラム。
【請求項３２】
前記変更工程は、前記変更部に、前記角度ずれが大きいほど、前記レイアウト要素の大きさをより小さくさせることを特徴とする請求項３１記載のレイアウト要素の配置プログラム。
【請求項３３】
前記変更工程は、前記変更部に、前記レイアウト要素の輪郭に、前記角度ずれに応じて、前記配置ポイントの方向に沿った方向を有するフレームを付与させることを特徴とする請求項３１記載のレイアウト要素の配置プログラム。
【請求項３４】
前記変更工程は、前記変更部に、前記角度ずれが大きいほど、前記レイアウト要素の姿勢をより大きく変更させることを特徴とする請求項３１記載のレイアウト要素の配置プログラム。
【請求項３５】
前記変更工程は、前記変更部に、前記角度ずれに応じて、前記レイアウト要素中の対象物に、前記配置ポイントの方向に沿った方向を付与させることを特徴とする請求項３１記載のレイアウト要素の配置プログラム。
【請求項３６】
前記変更工程は、前記変更部に、前記角度ずれが大きいほど、前記レイアウト要素の輪郭に、注目度がより低いフレームを付与させることを特徴とする請求項３１記載のレイアウト要素の配置プログラム。
【請求項３７】
前記変更工程は、前記変更部に、前記角度ずれが大きいほど、前記レイアウト要素の輪郭を規定する多角形の角をより丸くさせることを特徴とする請求項３１記載のレイアウト要素の配置プログラム。
【請求項３８】
前記変更工程は、前記変更部に、前記角度ずれに応じて、前記レイアウト要素の輪郭を、前記配置ポイントの方向に向けて変形させることを特徴とする請求項３１記載のレイアウト要素の配置プログラム。
【請求項３９】
前記変更工程は、前記変更部に、前記角度ずれが大きいほど、前記レイアウト要素の色彩をよりぼかさせることを特徴とする請求項３１記載のレイアウト要素の配置プログラム。